(57)【要約】【課題】  背もたれ等のクッション芯材を立て掛けても、シェルに設けられた表装材のしわ等の発生を回避でき、且つ、背もたれの外周側におけるクッション材のクッション性を確保することができるようにすること。【解決手段】  シェルとなる前部シェル１７と、この前部シェル１７の外面側に覆われた表装材１９と、この表装材１９と前部シェル１７との間に設けられたクッション材２０と、前部シェル１７と相互に組み合わされるカバー部材となる後部シェル２１とを備えて背もたれ１５が構成されている。前部シェル１７は、着座する者に面するシェル本体２３と、後部シェル２１の外周に略沿う外周部２４を備えている。クッション材２０は、表装材１９と共に、前部シェル１７の外周部２４に巻き付けられている。外周部２４には、クッション材２０の厚みに略対応する高さを有する外縁部３１が設けられている。【選択図】      図７
2005058656.tif 000002
【特許請求の範囲】
【請求項１】
クッション材を介して表装材で覆われるシェルと、前記表装材の外周部を挟み込むようにして当該表装材の外周領域を隠蔽するカバー部材とを含む椅子のクッション芯材構造において、
前記シェルは、着座する者に面するシェル本体と、当該シェル本体に連なるとともに、前記カバー部材の外周に略沿う外周部とを含み、
前記外周部には、クッション材の厚みに略対応する高さを有する外縁部が設けられていることを特徴とする椅子のクッション芯材構造。
【請求項２】
前記外縁部は、クッション芯材を単体で所定の容器内に立て掛け姿勢としたときに、先端を容器底部若しくは壁部に突き当てる姿勢で位置可能な方向に突出することを特徴とする請求項１記載の椅子のクッション芯材構造。
【請求項３】
前記外縁部は、前記シェル本体の面と交わる方向に向けられた屈曲部により構成されていることを特徴とする請求項１又は２記載の椅子のクッション芯材構造。
【発明の詳細な説明】
【技術分野】
【０００１】
本発明は、椅子のクッション芯材構造に係り、更に詳しくは、椅子をノックダウンタイプとして梱包容器に収めた際に、シェルに設けられたクッション材が変形することを防止することができ、且つ、シェルの外周側において、表装材の張力によりクッション材が変形してクッション性が低下することを回避できる椅子のクッション芯材構造に関する。
【背景技術】
【０００２】
従来より利用されている椅子の背もたれとしては、例えば、図１１に示されるタイプのものが存在する。同図において、背もたれ５０は、椅子に着座する者の背中側に位置するとともに、表装材５１により外面側をカバーされた湾曲板状の前部シェル５２と、この前部シェル５２と表装材５１との間に設けられたクッション材５３と、前部シェル５２の後方（図１１中左方）に設けられたカバー部材となる後部シェル５５とを備えて構成されている。前部シェル５２は、図１２に示されるように、外周側（同図中上側）において後部シェル５５の外周縁に向かって湾曲する外周領域５２Ａを含み、当該外周領域５２Ａの端縁を回り込むように表装材５１及びクッション材５３の外周領域が巻き付けられて固定される。
【０００３】
ところで、前記背もたれ５０が適用される椅子の流通形態は、一般に、ノックダウンタイプとされる。前記椅子は、通常、背もたれ、座部及び脚部により構成され、ノックダウンタイプとする場合、前記各構成部分毎に分離し、梱包容器に収めることで梱包容積を小さく抑えるようになっている。
【発明の開示】
【発明が解決しようとする課題】
【０００４】
しかしながら、従来の背もたれ５０にあっては、前記外周領域５２Ａの端縁が下方位置となる姿勢で立て掛けたときに、背もたれ５０の自重によって前記端縁回りのクッション材５３が押し潰され、表装材５１にしわや押し跡等が残存するという不都合を招来する。しかも、表装材５１の巻き付け力により、クッション材５３が前部シェル５２の外周に近付くに従って薄くなり、外周領域５２Ａ上に位置するクッション材５３のクッション性が損なわれてしまう。このため、着座する者が背もたれ５０に寄り掛かると、外周領域５２Ａ側により背中に痛み等の不快感を付与させるという不都合もある。
【０００５】
本発明は、このような不都合に着目して案出されたものであり、その目的は、梱包容器内においてクッション芯材を立て掛けても、表装材の外周側におけるしわ等の発生を回避できるとともに、クッション芯材の外周側におけるクッション性を確保し、着座する者への不快感が付与されることを防止できる椅子のクッション芯材構造を提供することにある。
【課題を解決するための手段】
【０００６】
前記目的を達成するため、本発明は、クッション材を介して表装材で覆われるシェルと、前記表装材の外周部を挟み込むようにして当該表装材の外周領域を隠蔽するカバー部材とを含む椅子のクッション芯材構造において、
前記シェルは、着座する者に面するシェル本体と、当該シェル本体に連なるとともに、前記カバー部材の外周に略沿う外周部とを含み、
前記外周部には、クッション材の厚みに略対応する高さを有する外縁部が設けられる、という構成を採っている。
【０００７】
本発明において、前記外縁部は、クッション芯材を単体で所定の容器内に立て掛け姿勢としたときに、先端を容器底部若しくは壁部に突き当てる姿勢で位置可能な方向に突出する、という構成も採用することができる。
【０００８】
また、前記外縁部は、前記シェル本体の面と交わる方向に向けられた屈曲部により構成されることが好ましい。
【発明の効果】
【０００９】
本発明によれば、シェルの外周部側に梱包容器の内面等が当たる場合であっても、外縁部によりクッション材の収縮を防止でき、表装材にしわ等が発生することを回避することができる。しかも、表装材の巻き付け力により、シェルの外周部付近におけるクッション材が薄くなることを防止でき、外周部付近のクッション性を良好に維持することが可能となる。これにより、椅子に着座したときに、従来のように背部等に不快感を付与させることがなくなり、座り心地を改善することができる。
また、椅子をノックダウンタイプとし、表装材及びクッション材が取り付けられたシェルを有する背もたれ等のクッション芯材を梱包容器に立て掛けて収納しても、シェルの外縁部の先端が容器底部若しくは壁部に突き当たり、すなわち、シェルの外縁部が背もたれ等の自重を支えるようになり、表装材を効果的に保護することが可能となる。
更に、外周部の僅かな形状変更により、外縁部を屈曲部としてクッション材のクッション性を確保することができる。しかも、表装材の外周側に紐等を設け、当該紐を引っ張ることにより表装材に張力を付与する場合であっても、紐の引っ張り力によりクッション材が変形することを防止でき、背もたれ等のクッション芯材の外形寸法を正確なものとすることが可能となる。
【発明を実施するための最良の形態】
【００１０】
以下、本発明の実施の形態を図面を参照しながら説明する。なお、本明細書における方向若しくは位置を示す用語は、図１中矢印Ａ方向から見た場合を基準とし、「前」とは矢印Ａ方向から見た場合の手前側を示す一方、「後」とは、同奥行き側について用いられる。
【００１１】
図１には、本発明が背もたれに適用された実施形態に係る椅子の概略斜視図が示されている。この図において、椅子１０は、座部１１と、この座部１１の下側に設けられたキャスター付きの脚部１２と、座部１１の後方に設けられて上方に延びる連結部材１３と、この連結部材１３を介して支持された背もたれ１５とを備えて構成されている。椅子１０は、本実施形態では、ノックダウンタイプとされ、特に限定されるものでないが、座部１１、脚部１２及び背もたれ１５に分解された状態で梱包容器等に収納される。
【００１２】
前記背もたれ１５は、図２及び図３に示されるように、湾曲板状をなすシェルとしての前部シェル１７と、この前部シェル１７の外面すなわち前面側に覆われた表装材１９と、この表装材１９と前部シェル１７との間に設けられたクッション材２０と、前部シェル１７の後方に位置して当該前部シェル１７と相互に組み合わされるカバー部材としての後部シェル２１とを備えて構成されている。
【００１３】
前記前部シェル１７は、図４及び図５にも示されるように、正面形状が略反転台形状に形成されるとともに、前面が着座する者の腰部や背部に面する湾曲面とされたシェル本体２３と、このシェル本体２３の外周側に連なるとともに、後部シェル２１の外周に略沿うように位置する外周部２４とを備えて構成されている。また、前部シェル１７は、図６に示されるように、シェル本体の後面側から突出するとともに、上下方向、左右方向及び右下、右上方向に延びる複数の補強リブ２６と、シェル本体２３の左右両側に上下方向に沿って三箇所ずつ形成された段付き穴２７と、シェル本体２３の後面側における面内中央部に設けられるとともに、前記連結部材１３の上端側と図示しない取付部材を介して連結される取付部２８と、シェル本体２３の下端側に形成されて連結部材１３を貫通させる切欠部２９とを備えている。ここで、シェル本体２３の上端に沿う外周部２４には、上方に突出する形状を備えた外縁部３１が設けられている。
【００１４】
前記外縁部３１は、図７にも示されるように、直近のシェル本体２３の面と交わる方向すなわち上方に向けられた屈曲部により構成されている。外縁部３１は、前記クッション材２０の厚さと略同一の突出高さを備え、表装材１９を前部シェル１７に取り付けたときに、外周部２４付近に位置するクッション材２０の体積収縮を規制するようになっている。
【００１５】
前記表装材１９は、シェル本体２３における前面の面積より大きい平面形状に設けられ、クッション材２０と共に前部シェル１７の外周部２４に巻き付けられている。表装材１９は、その外周領域を二枚厚に折り返して縫い合わせることにより形成された通路３３を備えており、この通路３３内に一本の紐３４が挿入されている。この紐３４は、表装材１９に前部シェル１７の外周部２４側に対する巻き付け力を付与可能に設けられている。すなわち、前部シェル１７の外周部２４側に表装材１９を巻き付けた後、紐３４の両端側を引っ張ることにより、表装材１９が外周部２４において回り込んだ状態が維持され、これにより、表装材１９の表面にしわ等が生じることなく前部シェル１７に固定されることとなる。
【００１６】
前記クッション材２０は、特に限定されるものでないが、本実施形態では、一定の厚さを備えたウレタン等の発泡シートにより構成され、表装材１９と同様に、シェル本体２３の前面の面積より大きい平面積を備えている。
【００１７】
前記後部シェル２１は、図８及び図９に示されるように、前部シェル１７と略同一となる正面形状に形成されている。後部シェル２１の前面側には、先端側が鈎状をなす六つの突起３６が設けられている。各突起３６は、前部シェル１７の各段付き穴２７に対応する位置に設けられるとともに、段付き穴２７に嵌合可能に設けられ、これにより、前部シェル１７と後部シェル２１とが相互に組み合わされる。また、後部シェル２１は、その外周側に前方（図２中左方）に向けられた周壁３７を備え、当該周壁３７は、前部シェル１７の外周部２４と共に、表装材１９及びクッション材２０を相互に挟み込み、表装材１９と周壁３７との間に隙間を生じさせることなく表装材１９の外周領域を隠蔽するようになっている。なお、図２中下方に位置する周壁３７には、前記連結部材１３を貫通させる切欠部３８が形成されている。
【００１８】
以上の構成において、前記椅子１０を梱包用の図示しない容器等に収納する場合、梱包容積の縮小化と組立の容易化とを両立させるため、座部１１、脚部１２、背もたれ１５に分解した状態で収納される。このとき、背もたれ１５は、図２に示される向きと上下逆向きとし、外縁部３１の先端側を下方位置として前記容器底部に突き当たる姿勢で当該底部上に立て掛け姿勢とされ、背もたれ１５の自重が外縁部３１によって支えられることとなる。
【００１９】
従って、このような実施形態によれば、外縁部３１の先端側が前記容器底部に突き当たるように突出するとともに、外縁部３１の突出高さをクッション材の厚さと略同一に設定したから、背もたれ１５を立て掛け姿勢とした場合であっても、クッション材２０が押し潰されることを防止でき、ひいては、表装材１９にしわが生じることを回避して外観上の見栄えを良好に保つことが可能となる。しかも、背もたれ１５の上部側におけるクッション材２０の弾力性も十分に確保されるようになり、椅子１０に着座する者の背部や腰部に痛みを生じさせることもない。
【００２０】
また、外縁部３１が屈曲部により構成されるので、当該外縁部３１がリブのように作用して前部シェル１７の剛性を高めることができる。これにより、前記紐３４の両端側を引っ張って表装材１９の表面に張力を付与するときに、前部シェル１７の撓み変形等を防止することができ、背もたれ１５の外形寸法の精度をより良く保つことが可能となる。
【００２１】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００２２】
例えば、外縁部３１の形状は、図１０に示される構成に代替する等、種々の設計変更が可能である。図１０において、外縁部３１は、その上端側に略水平方向に向けられた補助屈曲部４０を備えており、当該補助屈曲部４０により、前記容器底部との接触面積を拡大し、前部シェル１７を立て掛けた際の姿勢安定化を図ることが可能となる。
【００２３】
また、外縁部３１の形成位置は、シェル本体２３の上端に沿う外周部２４の他に、シェル本体２３の左右両端や下端に沿う外周部２４に設けてもよい。
【００２４】
更に、椅子１０の梱包容器への収納形態としては、背もたれ１５と座部１１とを連結部材１３で連結した状態とすることもできる。
【００２５】
また、前記実施形態において、本発明を背もたれ１５に適用した場合を説明したが、背もたれ１５以外の椅子１０の構成部材、例えば、座部１１等に適用してもよい。更に、座部１１及び背もたれ１５が一体となるようにシェル本体２３が屈曲形状を備えたタイプのものに本発明を適用することも可能である。
【産業上の利用可能性】
【００２６】
本発明に係るクッション芯材構造は、オフィス用や学習用の椅子に適用して利用することができる。
【図面の簡単な説明】
【００２７】
【図１】本発明が背もたれに適用された実施形態に係る椅子の概略斜視図。
【図２】図１のＢ−Ｂ線に沿う要部断面図。
【図３】図２の分解断面図。
【図４】表装材及びクッション材を省略した背もたれの平面図。
【図５】前部シェルを前方から見た図。
【図６】前部シェルを後方から見た図。
【図７】図２の要部拡大図。
【図８】後部シェルを後方から見た図。
【図９】後部シェルを前方から見た図。
【図１０】変形例に係る図７と同様の断面図。
【図１１】従来例に係る図２と同様の断面図。
【図１２】図１１の要部拡大図。
【符号の説明】
【００２８】
１０  椅子
１５  背もたれ
１７  前部シェル（シェル）
１９  表装材
２０  クッション材
２１  後部シェル（カバー部材）
２３  シェル本体
２４  外周部
３１  外縁部（屈曲部）
【図１】
2005058656.tif 000003
【図２】
2005058656.tif 000004
【図３】
2005058656.tif 000005
【図４】
2005058656.tif 000006
【図５】
2005058656.tif 000007
【図６】
2005058656.tif 000008
【図７】
2005058656.tif 000009
【図８】
2005058656.tif 000010
【図９】
2005058656.tif 000011
【図１０】
2005058656.tif 000012
【図１１】
2005058656.tif 000013
【図１２】
2005058656.tif 000014